(57)【特許請求の範囲】
【請求項１】
外周に凹部が形成された洗い場床と、
前記凹部に載置された壁と、
前記凹部の側面のうち前記洗い場床の内側に位置する第１側面と、前記壁と、の間に設けられたコーキング材と、
弾性を有し、前記コーキング材を覆い、一端が前記洗い場床に固定され、他端が前記壁に当接した被覆部材と、
を備え、
前記被覆部材は、前記第１側面と前記壁との間の距離が変化して長くなった際に、前記被覆部材の前記第１側面と直交する方向における長さが長くなるように、前記壁によって変形されていることを特徴とする浴室。
【請求項２】
前記被覆部材は、前記コーキング材を覆う部分の上面が前記壁から前記洗い場床の内側に向けて下方に傾斜するように、変形していることを特徴とする請求項１記載の浴室。
【請求項３】
前記被覆部材の前記部分の前記上面は、前記洗い場床の上面よりも上方に位置することを特徴とする請求項２記載の浴室。
【請求項４】
外周に凹部が形成された浴槽と、
前記凹部に載置された壁と、
前記凹部の側面のうち前記浴槽の内側に位置する第２側面と、前記壁と、の間に設けられたコーキング材と、
弾性を有し、前記コーキング材を覆い、一端が前記浴槽に固定され、他端が前記壁に当接した被覆部材と、
を備え、
前記被覆部材は、前記第２側面と前記壁との間の距離が変化して長くなった際に、前記被覆部材の前記第２側面と直交する方向における長さが長くなるように、前記壁によって変形されていることを特徴とする浴室。
【請求項５】
前記被覆部材は、前記コーキング材を覆う部分の上面が前記壁から前記浴槽の内側に向けて下方に傾斜するように、変形していることを特徴とする請求項４記載の浴室。
【請求項６】
前記被覆部材の前記部分の前記上面は、前記浴槽のうち前記被覆部材の前記一端が固定された部分の上面よりも、上方に位置することを特徴とする請求項５記載の浴室。
【発明の詳細な説明】
【技術分野】
【０００１】
本発明の態様は、一般的に、浴室に関する。
【背景技術】
【０００２】
特許文献１では、浴室に関して、洗い場床と壁との間にコーキング材を注入して止水を行う技術が開示されている。より具体的には、洗い場床の外周に凹部が形成されており、壁は、当該凹部に載置されている。そして、凹部の側壁と壁との間に設けられたコーキング材により、凹部側壁と壁との隙間が充填され、止水が行われている。
【先行技術文献】
【特許文献】
【０００３】
【特許文献１】特開２０１３−２０９８５３号公報
【発明の概要】
【発明が解決しようとする課題】
【０００４】
コーキング材は、一般的に、時間の経過に応じて硬化が進む。このため、気温の変化や振動などによって洗い場床と壁との間の距離が長くなると、コーキング材が過度に引っ張られ、裂け目が生じる場合がある。このようなコーキング材に生じる裂け目は、浴室内の使用者の目に付きやすく、美観を損ねるものである。
本発明は、かかる課題の認識に基づいてなされたものであり、止水のためにコーキング材を用いた場合であっても、美観の低下を抑制することができる浴室を提供することを目的とする。
【課題を解決するための手段】
【０００５】
第１の発明は、外周に凹部が形成された洗い場床と、前記凹部に載置された壁と、前記凹部の側面のうち前記洗い場床の内側に位置する第１側面と、前記壁と、の間に設けられたコーキング材と、弾性を有し、前記コーキング材を覆い、一端が前記洗い場床に固定され、他端が前記壁に当接した被覆部材と、を備え、前記被覆部材は、前記第１側面と前記壁との間の距離が変化して長くなった際に、前記被覆部材の前記第１側面と直交する方向における長さが長くなるように、前記壁によって変形されていることを特徴とする浴室である。
【０００６】
この浴室によれば、コーキング材が被覆部材により覆われるとともに、第１側面と壁との間の距離が変化した場合であっても、距離の変化に応じて被覆部材が変形することで、被覆部材の第１側面と直交する方向における長さが長くなる。このため、距離が変化した場合でも、被覆部材により覆われているコーキング材が露出してしまう可能性を低減することができる。従って、止水のためにコーキング材を設けた場合でも、裂け目が生じたコーキング材が浴室内の空間に向けて露出され、浴室の美観が低下してしまう可能性を低減することができる。
【０００７】
第２の発明は、第１の発明において、前記被覆部材は、前記コーキング材を覆う部分の上面が前記壁から前記洗い場床の内側に向けて下方に傾斜するように、変形していることを特徴とする浴室である。
【０００８】
この浴室によれば、壁から洗い場床の内側に向けての水はけを良くし、排水性を高め、被覆部材におけるカビの発生を抑制することができる。
【０００９】
第３の発明は、第２の発明において、前記被覆部材の前記部分の前記上面は、前記洗い場床の上面よりも上方に位置することを特徴とする浴室である。
【００１０】
この浴室によれば、被覆部材の上面から洗い場床の上面に向けて水が流れやすくなるため、被覆部材におけるカビの発生をより一層抑制することができる。
【００１１】
第４の発明は、外周に凹部が形成された浴槽と、前記凹部に載置された壁と、前記凹部の側面のうち前記浴槽の内側に位置する第２側面と、前記壁と、の間に設けられたコーキング材と、弾性を有し、前記コーキング材を覆い、一端が前記浴槽に固定され、他端が前記壁に当接した被覆部材と、を備え、前記被覆部材は、前記第２側面と前記壁との間の距離が変化して長くなった際に、前記被覆部材の前記第２側面と直交する方向における長さが長くなるように、前記壁によって変形されていることを特徴とする浴室である。
【００１２】
この浴室によれば、コーキング材が被覆部材により覆われるとともに、第２側面と壁との間の距離が変化した場合であっても、距離の変化に応じて被覆部材が変形することで、被覆部材の第２側面と直交する方向における長さが長くなる。このため、距離が変化した場合でも、被覆部材により覆われているコーキング材が露出してしまう可能性を低減することができる。従って、止水のためにコーキング材を設けた場合でも、裂け目が生じたコーキング材が浴室内の空間に向けて露出され、浴室の美観が低下してしまう可能性を低減することができる。
【００１３】
第５の発明は、第４の発明において、前記被覆部材は、前記コーキング材を覆う部分の上面が前記壁から前記浴槽の内側に向けて下方に傾斜するように、変形していることを特徴とする浴室である。
【００１４】
この浴室によれば、壁から浴槽の内側に向けての水はけを良くし、排水性を高め、被覆部材におけるカビの発生を抑制することができる。
【００１５】
第６の発明は、第５の発明において、前記被覆部材の前記部分の前記上面は、前記浴槽のうち前記被覆部材の前記一端が固定された部分の上面よりも、上方に位置することを特徴とする浴室である。
【００１６】
この浴室によれば、被覆部材の上面から浴槽の上面に向けて水が流れやすくなるため、被覆部材におけるカビの発生をより一層抑制することができる。
【発明の効果】
【００１７】
本発明の態様によれば、止水のためにコーキング材を用いた場合であっても、美観の低下を抑制することができる。
【図面の簡単な説明】
【００１８】
【図１】本実施形態に係る浴室を表す斜視図である。
【図２】本実施形態における壁面接続部材と壁パネルとの嵌合構造を表した断面図である。
【図３】本実施形態における壁の取り付け構造を表す斜視図である。
【図４】本実施形態に係る洗い場床の構成を説明する分解斜視図である。
【図５】本実施形態に係る洗い場床の一部および壁の一部を拡大した斜視断面図である。
【図６】図５の部分Ｂを拡大した斜視断面図である。
【図７】本実施形態に係る洗い場床の一部および壁の一部を拡大した断面図である。
【図８】本実施形態に係る洗い場床の一部および壁の一部を拡大した断面図である。
【図９】壁パネルが設置される前の状態の、洗い場床の凹部近傍を拡大した平面図である。
【図１０】図９のＡ−Ａ’線における断面図である。
【図１１】本実施形態に係る浴室の目地部材の施工方法を表す断面図である。
【図１２】本実施形態に係る浴室の目地部材の施工方法を表す断面図である。
【図１３】本実施形態に係る浴室の目地部材の施工方法を表す断面図である。
【図１４】本実施形態に係る浴室の目地部材の施工方法を表す断面図である。
【図１５】本実施形態に係る浴室の目地部材の施工方法を表す断面図である。
【図１６】本実施形態に係る浴槽の一部および壁の一部を拡大した断面図である。
【図１７】壁パネルが設置される前の状態の凹部近傍を拡大した平面図である。
【図１８】図１７のＣ−Ｃ’線における断面図である。
【図１９】本実施形態の変形例に係る洗い場床の一部および壁の一部を拡大した断面図である。
【発明を実施するための形態】
【００１９】
以下、本発明の実施の形態について図面を参照しつつ説明する。なお、各図面中、同様の構成要素には同一の符号を付して詳細な説明は適宜省略する。
【００２０】
図１は、本実施形態に係る浴室を表す斜視図である。
図１に示した浴室１００は、浴槽１と、洗い場床２と、壁３と、を備えている。浴槽１の底部裏面の四隅近傍には、支持脚６が設けられ、その支持脚６を介して、浴槽１は浴室設置面（例えば、建物の床）Ｓの上に設置される。支持脚６は、ボルト部を回転させることで高さを調節可能に構成されている。
【００２１】
洗い場床２は、周縁部が上側に折り曲げられた浅底の器状（パン状）に形成され、浴室外部に湯水を漏出させない防水性を有する。洗い場床２は、支持脚２３１を介して浴室設置面Ｓ上に設置されている。支持脚２３１は、支持脚６と同様に、ボルト部を回転させることで高さを調節可能に構成されている。
【００２２】
洗い場床２において、浴槽１との境界部近傍には、排水管５に連通する排水口が形成されている。なお、図１では、この排水口は、着脱自在の蓋７で塞がれている。排水口が設けられた部分はくぼんでおり、洗い場床２の表面には、排水口に向けて下向きに傾斜した勾配が付けられている。洗い場床２の裏側において、浴槽１との境界部近傍には排水管５が設けられ、排水口は排水管５に接続されている。また、浴槽１の底部に設けられた図示しない排水口も、排水管５に接続されている。
【００２３】
壁３は、浴室ユニットの４面を構成している。壁３は、壁面材である壁パネル３１〜３７によって構成されている。洗い場床２の外周部２ａには、洗い場床２の上面と直交する方向に沿って壁面接続部材５０が設けられている。壁面接続部材５０は隣接する壁パネルの間に設けられ、隣接する壁パネル同士は壁面接続部材５０によって連接されている。
【００２４】
壁パネル３１は、洗い場床２の浴槽１とは反対側に配置されており、２枚の壁パネルが図示しない壁面接続部材５０によって連接されて形成されている。壁パネル３２及び壁パネル３３は、壁パネル３１と直交し、互いに対向して配置されている。壁パネル３４〜３６は、浴槽１の縁のうち、洗い場床２側を除く３辺の縁の上に配置されている。壁パネル３４及び壁パネル３５の下側には、浴槽１と壁パネル３２及び壁パネル３３との間をつなぐ壁パネル３７が設けられている。図１に表した浴室ユニットでは、壁パネル３３には図示しないドア取付枠を介してドアＤＲが設けられている。
【００２５】
なお、本発明における壁面材の構成は、上記壁パネル３１〜３７には限定されない。例えば、壁パネル３１がより多くのパネルから構成されていても良いし、その他の壁パネル３２〜３７が複数のパネルから構成されていても良い。また、壁パネル３１が１枚のパネルから構成されていても良い。
【００２６】
浴槽１と洗い場床２との境界には、浴槽１における洗い場床２側の側面を覆い隠すバスエプロン９が設けられている。バスエプロン９は、後述する床面材２１を押圧するように設けられている。
【００２７】
図２は、本実施形態における壁面接続部材と壁パネルとの嵌合構造を表した断面図である。
図２では、壁パネルの面内方向と直交する方向に沿った断面を表している。
図２（ａ）は、同一平面で隣接する２つの壁パネルと、これらの間に設けられた壁面接続部材との嵌合構造を例示している。
図２（ｂ）は、隅部で互いに直交する２つの壁パネルと、これらの間に設けられた壁面接続部材との嵌合構造を例示している。
以下の説明では、図２（ａ）に例示した壁面接続部材５０Ａおよび図２（ｂ）に例示した壁面接続部材５０Ｂをまとめて壁面接続部材５０と称する。
【００２８】
図２に表したように、壁パネル３１は、第１壁パネル３１−１と、第２壁パネル３１−２と、から構成されている。それぞれの壁パネルは、母材と、母材に対して浴室の内側に設けられた鋼板と、を有する。母材は、石膏ボードなどで形成されており、鋼板は、補強のために母材の浴室内側の表面に貼り付けられている。例えば、第１壁パネル３１−１は、母材３１０−１と、鋼板３１１−１と、を有する。第２壁パネル３１−２は、母材３１０−２と、鋼板３１１−２と、を有する。
【００２９】
壁面接続部材５０は、薄板を折り曲げた中空構造を有する。壁面接続部材５０の左右の折り返し部分５０１は、弾性を有している。
【００３０】
図２（ａ）では、壁パネル３１を構成する２つの壁パネル３１−１および３１−２の取り付け状態を表している。２つの壁パネル３１−１及び３１−２の鋼板３１１の左右の側面部には、それぞれ弾性を有した裏側への折り返し部分５０２−１及び５０２−２が設けられている。
【００３１】
２つの壁パネル３１−１及び３１−２を壁面接続部材５０Ａに取り付けるには、折り返し部分５０２−１及び５０２−２を壁面接続部材５０Ａの左右の折り返し部分５０１の間に嵌め込む。折り返し部分５０２−１及び５０２−２は、左右の折り返し部分５０１の間を押し広げるようにして嵌め込まれることで、互いの方向に付勢される。折り返し部分５０２−１及び５０２−２が嵌め込まれると、２つの壁パネル３１−１及び３１−２が壁面接続部材５０Ａを間にして同一面状に固定される。
【００３２】
図２（ｂ）では、壁パネル３１を構成する壁パネル３１−２と、壁パネル３２と、の取り付け状態を表している。壁パネル３１−２の鋼板３１１−２には、折り返し部分５０２−１が設けられ、壁パネル３２の鋼板３２１には、折り返し部分５０２−２が設けられている。折り返し部分５０２−１及び５０２−２は、それぞれ弾性を有する。
【００３３】
折り返し部分５０２−１及び５０２−２は、左右の折り返し部分５０１の間を押し広げるようにして嵌め込まれる。折り返し部分５０２−１及び５０２−２が嵌め込まれると、２つの壁パネル３１−２及び３２は壁面接続部材５０Ａを間にして直交する状態に固定される。
【００３４】
このように、壁面接続部材５０の折り返し部分５０１と各壁パネルの折り返し部分５０２は、壁３に直交する面に沿って弾性を有するため、互いの設置位置が固定される。一方で、壁３の表面に沿った方向では、壁面接続部材５０による位置の規制が無い。このため、それぞれの壁パネルは壁面接続部材５０に嵌め込まれると、自重により下方に落下して、その下端（後述する先端部３１１ａ）が床面材２１に当接する。
【００３５】
図３は、本実施形態における壁の取り付け構造を表す斜視図である。
図３に表したように、洗い場床２の上面と直交する方向に延びる複数の壁面接続部材５０が、洗い場床２の外周部２ａに取り付けられる。壁面接続部材５０は、予め取り付けてあった壁面固定部材５１にボルトやビス等の締結手段で固定される。このとき、壁面接続部材５０の下端によって床面材２１の外周部２ａを下方に押圧するように、壁面接続部材５０を固定してもよい。それぞれの壁面接続部材５０に壁パネルを嵌合することで、壁パネル３１〜３５が固定される。壁パネル３７は、浴槽１と壁面接続部材５０との間に固定される。また、壁パネル３６は、壁パネル３４の一端と壁パネル３５一端との間に固定される。
【００３６】
図４は、本実施形態に係る洗い場床の構成を説明する分解斜視図である。
図４に表したように、洗い場床２は、床基材２０と、床基材２０の上に配された表皮材２３と、を有する。床基材２０は、下から順に、支持材２２、床面材２１、およびクッション材２０１を有する。
【００３７】
支持材２２は、４隅に設けられる４本の支持脚２３１を有する。支持脚２３１は、ボルト部を回転させることで高さが調節可能に構成されている。支持材２２には、強度が比較的高く、剛性のある平板状の素材が用いられる。このような素材として、例えば、サンドイッチパネルが挙げられる。サンドイッチパネルは、例えば、プラスチックの板材を２枚の鋼板で挟んだ構造であり、軽量かつ剛性が高く、ネジなどの締結部材も使用できる。支持材２２には、作業者が床下にもぐることができるように作業口が設けられている。施工後、この作業口には蓋２２１が被せられる。
【００３８】
床面材２１には、後述するように、排水口となる凹形状部や洗い場床２の上面の勾配を形成するための傾斜面が付与されている。床面材２１は、例えば熱可塑性樹脂によって形成されている。床面材２１は、繊維強化プラスチック（ＦＲＰ）によって形成されていてもよい。熱可塑性樹脂としては、例えば発泡ポリプロピレン、発泡ポリスチレン、発泡ポリエチレン、発泡ポリウレタンなどが用いられる。
【００３９】
床面材２１の上には、クッション材２０１が設けられている。クッション材２０１には、例えば発泡ポリウレタン等の軟質素材が用いられる。クッション材２０１の硬さ（柔らかさ）を変えることで、表皮材２３を踏んだ際に感じる床面の硬さ（柔らかさ）を変化させることができる。
【００４０】
表皮材２３は、洗い場床２の最表面に配されており、防水性および可撓性を有する軟質シート材が用いられる。表皮材２０２には、洗い場床２の表面の意匠性や水はけ性を向上させるために、凹凸加工や柄模様を施したりすることも可能である。
【００４１】
床面材２１の外周には、凹部が形成されており、壁３は、この凹部の上に設置される。この点について、図５〜図８を用いてより具体的に説明する。
図５は、本実施形態に係る洗い場床の一部および壁の一部を拡大した斜視断面図である。
図６は、図５の部分Ｂを拡大した斜視断面図である。
図７および図８は、本実施形態に係る洗い場床の一部および壁の一部を拡大した断面図である。
なお、図５〜図８では、支持材２２が省略されている。
【００４２】
図５〜図７に表したように、鋼板３１１は、床面材２１に向けて延在するとともに、先端部３１１ａが、洗い場床２の外側に向けて屈曲している。床面材２１の外周には凹部２１Ｒが形成され、この凹部の内側にはガイドピース２７が取り付けられている。ガイドピース２７の上には、パッキンＰＫ１を介して先端部３１１ａが載置されている。床面材２１は、壁３の自重により、下方に押圧される。また、先端部３１１ａはガイドピース２７により固定されている。こうすることで、洗い場床２と壁３との相対的な位置関係のずれが抑制される。
【００４３】
凹部２１Ｒの側面のうち、洗い場床２の内側に位置する側面Ｓ１と、壁３（壁パネル３１）と、の隙間には、コーキング材ＣＫ１が設けられている。被覆部材２５は、一端側の第１端部２５１と、他端側の第２端部２５２と、を有する。第１端部２５１は、表皮材２３の下面または床面材２１の上面に固定されており、表皮材２３と床面材２１との間に位置している。第２端部２５２は、コーキング材ＣＫ１を覆っており、壁パネル３１に当接している。このとき、被覆部材２５の側面Ｓ１近傍に配される部分が、コーキング材ＣＫ１と接触し、接着されていてもよい。
【００４４】
被覆部材２５は、弾性を有する。被覆部材２５の第２端部２５２が壁パネル３１に当接することで、被覆部材２５は、洗い場床２の内側に向けて変形している。
【００４５】
側面Ｓ１と壁パネル３１との間の距離Ｄ１は、ガイドピース２７により、その変化が抑制されているものの、洗い場床２および壁３の熱膨張または熱収縮や、洗い場床２および壁３における振動などにより変化する場合がある。また、壁３の傾斜によって距離Ｄ１が変化することもある。図８は、図７に表した状態から距離Ｄ１が長くなったときの状態を表している。図７および図８に表したように、距離Ｄ１が長くなると、被覆部材２５は距離Ｄ１の変化に合わせて変形し、側面Ｓ１と直交する方向における被覆部材２５の長さが長くなる。
【００４６】
被覆部材２５のうち、コーキング材ＣＫ１を覆う部分の上面は、壁パネル３１から洗い場床２の内側に向けて下方に傾斜している。また、壁パネル３１に当接している被覆部材２５の第２端部２５２は、洗い場床２に固定されている第１端部２５１よりも上方に位置している。さらに、被覆部材２５のうち、コーキング材ＣＫ１を覆っている部分の上面は、洗い場床２の上面よりも上方に位置している。
【００４７】
被覆部材２５は、弾性を有し、かつ軟質および薄肉状の少なくともいずれかであっていてもよい。被覆部材２５が弾性を有し、かつ軟質および薄肉状の少なくともいずれかであることで、被覆部材２５を容易に変形させることが可能となる。
【００４８】
被覆部材２５には、ポリプロピレンやポリエチレンなどのポリオレフィン系樹脂、ポリスチレンやＡＢＳ（acrylonitrile butadiene styrene copolymer）などのスチレン系樹脂、塩化ビニル、ポリエチレンテレフタレートなどのポリエステル系樹脂、ナイロンなどのポリアミド系樹脂、フッ素樹脂などを用いることができる。これらの材料を用いることで、被覆部材２５に弾性および軟性を付与することができる。
【００４９】
図９は、壁パネルが設置される前の状態の、洗い場床の凹部近傍を拡大した平面図である。
図１０は、図９のＡ−Ａ’線における断面図である。
なお、図９および図１０では、その後に載置される壁パネル３１を破線で表している。
【００５０】
図９および図１０に表したように、壁パネル３１が設置されていない状態では、被覆部材２５は、水平方向に延び、洗い場床２の外側に向かって突出している。このとき、凹部２１Ｒ上に突出している部分の長さＬ１は、壁パネルが設置された状態における側面Ｓ１と壁パネル３１との間の距離Ｄ１よりも長い。このため、壁パネル３１が設置された状態では、被覆部材２５の第２端部２５２が壁パネル３１に当接して変形することで、被覆部材２５の上面が壁パネル３１から洗い場床２に向けて下方に傾斜する。
【００５１】
ここで、図１１〜図１５を用いて、浴室の目地部材の施工方法を説明する。
図１１〜図１５は、本実施形態に係る浴室の目地部材の施工方法である。
まず、図１１（ａ）に表したように、表皮材２３の下面の端に被覆部材２５の第１端部２５１を固定する。被覆部材２５は、例えば、両面テープＴにより表皮材２３の下面に固定される。あるいは、接着剤や、熱による溶着、ステープルなどで固定されてもよい。
【００５２】
次に、図１１（ｂ）に表したように、凹部２１Ｒ内にガイドピース２７が設けられた床面材２１の表面に、表皮材２３を貼り合わせる。このとき、被覆部材２５のうち、表皮材２３に固定された部分が、表皮材２３と床面材２１との間に挟まれるように、表皮材２３を床面材２１に張り合わせる。
【００５３】
床面材２１の上に表皮材２３が配された状態を、図１２（ａ）に表す。図１２（ａ）に表したように、被覆部材２５は、凹部２１Ｒの一部を覆うように、表皮材２３の外側に向けて延びている。
【００５４】
次に、図１２（ｂ）および図１３（ａ）に表したように、被覆部材２５の第２端部２５２を、上方に変形させ、表皮材２３に一時的に固定する。表皮材２３への固定には、例えばマスキングテープＭが用いられる。
【００５５】
次に、図１３（ｂ）および図１４（ａ）に表したように、床面材２１および表皮材２３の上方から凹部２１Ｒへ、壁パネル３１を下方に移動させ、床面材２１の上に載置する。このとき、被覆部材２５の第２端部２５２は表皮材２３に固定されているため、壁パネル３１と被覆部材２５との接触を避けることができる。
【００５６】
次に、図１４（ｂ）および図１５（ａ）に表したように、側面Ｓ１と壁パネル３１との間にコーキング材ＣＫ１を充填させる。このとき、コーキング材ＣＫ１は、例えば上端が、表皮材２３の上面と同じ位置か、あるいはそれよりも下方に位置するように、充填される。このようにコーキング材ＣＫ１を配することで、被覆部材２５を壁パネル３１に当接させて変形させる際に、被覆部材２５の下面とコーキング材ＣＫ１の上面との摩擦を低減することができる。
【００５７】
最後に、図１５（ｂ）に表したように、被覆部材２５の第２端部２５２の変形を解除する。このとき、被覆部材２５が弾性を有するため、第２端部２５２端の変形を解除することで、図１２（ａ）に表した元の形状に戻る。その際、コーキング材ＣＫ１が被覆部材２５に覆われるとともに、被覆部材２５の先端が壁パネル３１に当接する。既に述べた通り、被覆部材２５の突出部分の長さＬ１は、距離Ｄ１よりも長いため、被覆部材２５は変形した状態で壁パネル３１に当接し、被覆部材２５の上面が、壁パネル３１から表皮材２３に向かって下方に傾斜する。
【００５８】
上述した説明では、壁パネル３１を例に説明したが、他の壁パネル３２、３３、および３７も同様にして洗い場床２の上に設置される。
【００５９】
次に、図１６を用いて、浴槽１の外周における構造を具体的に説明する。
図１６は、本実施形態に係る浴槽の一部および壁の一部を拡大した断面図である。
図１６に表したように、壁パネル３６は、母材３６０および裏板３６１を有する。浴槽１の外周には凹部１Ｒが形成されており、母材３６０の下端は、凹部１Ｒの底面にパッキンＰＫ２を介して載置される。
【００６０】
母材３６０は、凹部１Ｒの側面のうち、浴槽１の内側に位置する側面Ｓ２と対向している。側面Ｓ２鋼板３１１との隙間には、コーキング材ＣＫ２が設けられている。コーキング材ＣＫ２は、被覆部材２６により覆われている。被覆部材２６は、一端側の第１端部２６１と、他端側の第２端部２６２と、を有する。被覆部材２６の第１端部２６１は側面Ｓ２に固定され、側面Ｓ２とコーキング材ＣＫ２との間に位置している。被覆部材２６の第２端部２６２は、母材３６０に当接している。被覆部材２６は弾性を有し、第２端部２６２が壁パネル３６に当接することで、被覆部材２６は側面Ｓ２と直交する方向に変形している。
【００６１】
側面Ｓ２と壁３（壁パネル３６）との間の距離Ｄ２は、浴槽１および壁３の熱膨張または熱収縮や、浴槽１および壁３における振動などにより変化する場合がある。また、壁３の傾斜によって距離Ｄ２が変化することもある。被覆部材２６の第２端部２６２が壁パネル３６に当接し、距離Ｄ２の変化に応じて被覆部材２６が変形することで、側面Ｓ２と直交する方向における被覆部材２６の長さが長くなる。
【００６２】
被覆部材２６のうち、コーキング材ＣＫ２を覆う部分の上面は、壁パネル３６から浴槽１の内側に向けて下方に傾斜している。また、壁パネル３６に当接している被覆部材２６の第２端部２６２は、浴槽１に固定されている第１端部２６１よりも上方に位置している。さらに、被覆部材２６のうち、コーキング材ＣＫ２を覆っている部分の上面は、浴槽１のうち、被覆部材２６が固定されている部分の上面よりも、上方に位置している。
【００６３】
被覆部材２６は、弾性を有し、かつ軟質および薄肉状の少なくともいずれかであっていてもよい。被覆部材２６が弾性を有し、かつ軟質および薄肉状の少なくともいずれかであることで、被覆部材２６を容易に変形させることが可能となる。
【００６４】
図１７は、壁パネルが設置される前の状態の凹部近傍を拡大した平面図である。
図１８は、図１７のＣ−Ｃ’線における断面図である。
なお、図１７および図１８では、その後に載置される壁パネル３６を破線で表している。
【００６５】
図１７および図１８に表したように、壁パネル３６が設置されていない状態では、被覆部材２６は、水平方向に延び、浴室の外側に向かって突出している。このとき、凹部１Ｒ上に突出している部分の長さＬ２は、壁パネルが設置された状態における側面Ｓ２と壁パネル３６との間の距離Ｄ２よりも長い。このため、壁パネル３６が設置された状態では、被覆部材２６の第２端部２６２が壁パネル３６に当接して変形することで、被覆部材２６の上面が壁パネル３６から浴槽１の内側に向けて下方に傾斜する。
【００６６】
浴槽１への被覆部材２６の取り付けおよび壁パネル３６の設置については、洗い場床２への被覆部材２５の取り付けおよび壁パネル３１の設置と同様にして行われる。
【００６７】
すなわち、まず、被覆部材２６の第１端部２６１が凹部１Ｒの側面Ｓ１に固定される。被覆部材２６は、例えば、両面テープや接着剤などによって固定される。あるいは、熱による溶着や、ステープルなどで固定されてもよい。
【００６８】
次に、被覆部材２６の第２端部２６２を、上方に変形させ、浴槽１に、例えばテープにより一時的に固定する。続いて浴槽１の上方から凹部１Ｒに向けて壁パネル３６を移動させて載置する。このとき、被覆部材２６の第２端部２６２は浴槽１の内側に向けて変形され、固定されているため、壁パネル３６と被覆部材２６との接触を避けることができる。
【００６９】
その後、被覆部材２６の第２端部２６２の変形を解除すると、側面Ｓ２と壁パネル３６との隙間が被覆部材２６で覆われるとともに、被覆部材２６の先端が壁パネル３６に当接する。既に述べた通り、被覆部材２６の長さＬ２は、距離Ｄ２よりも長いため、被覆部材２６が変形した状態で壁パネル３６に当接し、被覆部材２６の上面に傾斜が形成される。
【００７０】
上述した説明では、壁パネル３６を例に説明したが、他の壁パネル３４および３５も同様にして洗い場床２の上に設置される。
【００７１】
次に、図１９を用いて、本実施形態の変形例に係る浴室の構造を説明する。
図１９は、本実施形態の変形例に係る洗い場床の一部および壁の一部を拡大した断面図である。
なお、図１９では、被覆部材２５の変形量が変化したときの様子を破線で表している。
【００７２】
図１９に表したように、本変形例では、被覆部材２５が弾性を有する中空のチューブである。被覆部材２５は、垂直方向に沿う面を有する。例えば、一方の面が、表皮材２３の側面または側面Ｓ１に固定され、他方の面が、壁パネル３６に接している。被覆部材２５は、これらの間に変形した状態で設けられ、コーキング材ＣＫ１を覆っている。
【００７３】
図１９に表した例では、被覆部材２５の断面の形状は台形であるが、円形や楕円形、多角形など、その形状は任意である。また、被覆部材２５は中空に形成されているが、中実に形成されていても構わない。本変形例においても同様に、側面Ｓ１と壁パネル３１との間の距離Ｄ１の変化に応じて、被覆部材２５が変形する。
【００７４】
また、本変形例に係る被覆部材２５と同様の構造を有する被覆部材２６を、浴槽１と壁３との間に設けることも可能である。
【００７５】
なお、上述した実施形態では、洗い場床２が、支持材２２、床面材２１、クッション材２０１、および表皮材２３から構成されている場合について説明したが、本実施形態は、このような構成以外の洗い場床に対しても適用可能である。例えば、洗い場床は、支持材２２および床面材２１の２つから構成されていても良い。この場合、被覆部材２５は、床面材２１の外周に固定される。
【００７６】
上述した実施形態によれば、コーキング材ＣＫ１は、被覆部材２５により覆われている。そして、凹部の側面Ｓ１と壁３との間の距離Ｄ１が、洗い場床２および壁３の熱膨張または熱収縮により変化した場合であっても、距離Ｄ１の変化に応じて被覆部材２５が変形する。このため、距離Ｄ１が変化した場合でも、被覆部材２５により覆われているコーキング材ＣＫ１が浴室１００内の空間に向けて露出してしまう可能性を低減することができる。従って、止水のためにコーキング材ＣＫ１を設けた場合でも、裂け目が生じたコーキング材ＣＫ１が浴室１００内の空間に向けて露出し、浴室の美観が低下してしまう可能性を低減することができる。
【００７７】
また、被覆部材２５は、第１端部２５１が洗い場床２に固定されているのに対して、第２端部２５２は壁３に固定されていない。このため、距離Ｄ１が過度に長くなった場合であっても、被覆部材２５の両端が引っ張られ、被覆部材２５が損傷する可能性を低減することができる。
【００７８】
また、図７および図８に表したような屈曲部分を有する被覆部材２５を固定する場合、図１１（ａ）に表したように、表皮材２３と床面材２１とを貼り合わせる前に、被覆部材２５の第１端部２５１を表皮材２３の底面に固定することが望ましい。こうすることで、被覆部材２５の屈曲部分を表皮材２３の側面２３Ｓに当接させた状態で、第１端部２５１を表皮材２３と床面材２１との間に固定することができる。このため、第１端部２５１をより強固に固定するとともに、被覆部材２５と側面２３Ｓとの間に隙間が生じることを抑制できる。
【００７９】
また、被覆部材２５が弾性を有する場合、図１０に表したように、被覆部材２５の第２端部２５２が、壁３の表面と交差する方向に延びていることで、第２端部２５２を壁３に当接させた際に、被覆部材２５が壁３をより強く押圧する。被覆部材２５が壁３をより強く押圧した状態で当接することで、被覆部材２５と壁３との間に隙間を生じ難くし、被覆部材２５による止水性を向上させることができる。
【００８０】
被覆部材２６に関しても同様に、コーキング材ＣＫ２は、被覆部材２６により覆われるとともに、凹部の側面Ｓ２と壁３との間の距離Ｄ２の変化に応じて被覆部材２６が変形する。このため、距離Ｄ２が変化した場合でも、被覆部材２６により覆われているコーキング材ＣＫ２が浴室１００内の空間に向けて露出してしまう可能性を低減することができる。従って、止水のためにコーキング材ＣＫ２を設けた場合でも、裂け目が生じたコーキング材ＣＫ２が浴室１００内の空間に向けて露出され、浴室１００の美観が低下してしまう可能性を低減することができる。
【００８１】
また、被覆部材２６は、第１端部２６１が浴槽１に固定されているのに対して、第２端部２６２は壁３に固定されていない。このため、距離Ｄ２が過度に長くなった場合であっても、被覆部材２５の両端が引っ張られ、被覆部材２５が損傷する可能性を低減することができる。
【００８２】
コーキング材に生じる裂け目は、図３および図４に表したように、洗い場床２は、浴室設置面Ｓと略平行に設置されるのに対して、壁３（壁パネル）は、浴室設置面Ｓと直交する方向に立てて設置されている場合に、特に顕著となりうる。これは、図３および図４に表した浴室の構造においては、温度変化によりこれらの部材に熱膨張または熱収縮が生じた際、膨張（収縮）する方向が異なり、隙間の幅の変化量が大きくなりやすいためである。従って、本実施形態は、壁３が、浴槽１および洗い場床２の設置面に対して垂直方向に沿って設けられている場合に、特に有効である。
【００８３】
上述した被覆部材２５は、コーキング材ＣＫ１を覆っている部分の上面が、壁３から洗い場床２の内側に向けて下方に傾斜するように変形していることが望ましい。このような構造によれば、壁３から洗い場床２の内側に向けての水はけを良くし、排水性を高め、被覆部材２５におけるカビの発生を抑制することができる。
【００８４】
このとき、被覆部材２５のコーキング材ＣＫ１を覆っている部分の上面は、洗い場床２の上面よりも上方に位置していることが望ましい。このような構造によれば、被覆部材２５の上面から洗い場床２の上面に向けて水が流れやすくなるため、被覆部材２５におけるカビの発生をより一層抑制することができる。
【００８５】
被覆部材２６についても同様に、被覆部材２６のコーキング材ＣＫ２を覆っている部分の上面は、壁３から浴槽１の内側に向けて下方に傾斜するように変形していることが望ましい。このような構造によれば、壁３から浴槽１の内側に向けての水はけを良くし、排水性を高め、被覆部材２６におけるカビの発生を抑制することができる。
また、被覆部材２６のコーキング材ＣＫ２を覆っている部分の上面は、浴槽１のうち被覆部材２６の第１端部２６１が固定された部分の上面よりも、上方に位置していることが望ましい。このような構造によれば、被覆部材２６の上面から浴槽１の上面に向けて水が流れやすくなるため、被覆部材２６におけるカビの発生をより一層抑制することができる。
【００８６】
被覆部材２６が弾性を有する場合、図１８に表したように、被覆部材２６の第２端部２６２が、壁３の表面と交差する方向に延びていることで、第２端部２６２を壁３に当接させた際に、被覆部材２６が壁３をより強く押圧する。被覆部材２６が壁３をより強く押圧した状態で当接することで、被覆部材２６と壁３との間に隙間を生じ難くし、被覆部材２６による止水性を向上させることができる。
【００８７】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、浴室が備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００８８】
１ 浴槽、  ２ 洗い場床、  ３ 壁、  ５ 排水管、  ６ 支持脚、  ７ 蓋、  ９ バスエプロン、  ２０ 床基材、  ２１ 床面材、  ２２ 支持材、  ２３ 表皮材、  ２３Ｓ 側面、  ２５、２６ 被覆部材、  ２７ ガイドピース、  ３１〜３７ 壁パネル、  ５０ 壁面接続部材、  ５０Ａ、５０Ｂ 壁面接続部材、  ５１ 壁面固定部材、  １００ 浴室、  ２０１ クッション材、  ２０２ 表皮材、  ２２１ 蓋、  ２３１ 支持脚、  ２５１、２６１ 第１端部、  ２５２、２６２ 第２端部、  ３１０ 母材、  ３１１、３２１ 鋼板、  ３６０ 母材、  ３６１ 裏板、  ＣＫ１、ＣＫ２ コーキング材、  ＤＲ ドア、  Ｍ マスキングテープ、  ＰＫ１、ＰＫ２ パッキン、  Ｓ 浴室設置面、  Ｓ１、Ｓ２ 側面、  Ｔ 両面テープ
【図１】
0006614487.tif 000002
【図２】
0006614487.tif 000003
【図３】
0006614487.tif 000004
【図４】
0006614487.tif 000005
【図５】
0006614487.tif 000006
【図６】
0006614487.tif 000007
【図７】
0006614487.tif 000008
【図８】
0006614487.tif 000009
【図９】
0006614487.tif 000010
【図１０】
0006614487.tif 000011
【図１１】
0006614487.tif 000012
【図１２】
0006614487.tif 000013
【図１３】
0006614487.tif 000014
【図１４】
0006614487.tif 000015
【図１５】
0006614487.tif 000016
【図１６】
0006614487.tif 000017
【図１７】
0006614487.tif 000018
【図１８】
0006614487.tif 000019
【図１９】
0006614487.tif 000020